(57)【要約】【課題】  折り畳み台の上に印刷製品を固定するために押し当てブラシを必要としない、印刷機又は折り畳み機用折り畳み装置を提供する。【解決手段】  折り畳み装置１１は、被駆動折り畳みドラムの対７と、拍子をとって上下動する折り畳み用ナイフ２と、折り畳み台４とから構成され、印刷製品３は複数の運搬ベルト５によって把持され、少なくとも一つのストッパ８に向かって動かされる。運搬ベルト５は、印刷製品３を固定するための平坦な接触の形成の下で、折り畳み台４の排出区間及び／又は到着区間９，１０に適合密着可能であり、これらの排出区間及び／又は到着区間９，１０は、印刷製品３の直前及び直後に存在する。【選択図】      図１
2005320170.tif 000002
【特許請求の範囲】
【請求項１】
被駆動折り畳みドラムの対（７）と、拍子をとって上下動する折り畳み用ナイフ（２）と、折り畳み台（４）とから構成されて、少なくとも一つの印刷製品（３）が複数の運搬ベルト（５）によって把持され、少なくとも一つのストッパ（８）に向かって動かされる、印刷機又は折り畳み機用折り畳み装置（１１）であって、前記運搬ベルト（５）が、前記印刷製品（３）を固定するための平坦な接触の形成の下で、前記折り畳み台（４）に降下可能又は折り畳み台（４）から上昇可能であることを特徴とする折り畳み装置。
【請求項２】
前記運搬ベルト（５）が印刷製品(3)を固定するために折り畳み台（４）の排出区間及び／又は到着区間（９，１０）に密着適合可能であり、これらの排出区間及び／又は到着区間（９，１０）は印刷製品（３）の直前及び直後にあることを特徴とする請求項１に記載の折り畳み装置。
【請求項３】
前記折り畳み台（４）に対する印刷製品（３）の押し当て力を調節するため及び／又は様々な印刷製品の厚さに適合するために、排出区間及び／又は到着区間（９，１０）における接触の長さが上下動可能な運搬ベルトによって調節可能であることを特徴とする請求項１又は２に記載の折り畳み装置。
【請求項４】
前記折り畳み台（４）が少なくとも一つの到着区間（９）を有し、到着区間は折り畳み台よりも深い位置にあり、製品到着方向（Ａ）において折り畳み台のレベルに上昇することを特徴とする請求項１ないし３の何れか一項に記載の折り畳み装置。
【請求項５】
前記折り畳み台（４）がストッパ（８）の領域に少なくとも一つの排出区間（１０）を有し、排出区間は折り畳み台よりも深い位置にあり、製品排出方向において折り畳み台のレベル下に降下することを特徴とする請求項１ないし４の何れか一項に記載の折り畳み装置。
【請求項６】
前記上昇及び／又は降下が、少なくとも一段階に、及び／又は少なくとも一斜角に、及び／又は少なくとも一半径に追従することを特徴とする請求項４又は５に記載の折り畳み装置。
【請求項７】
前記運搬ベルト（５）が折り畳み台（４）への密着適合のために排出区間（１０）に降下可能であり、又は排出区間から上昇可能であることを特徴とする請求項５又は６に記載の折り畳み装置。
【請求項８】
前記折り畳み台（４）が硬質クロムめっきされていることを特徴とする請求項１ないし７の何れか一項に記載の折り畳み装置。
【請求項９】
前記運搬ベルト（５）を誘導するベルト誘導部材（１，６）が偏心配置されていることを特徴とする請求項１ないし８の何れか一項に記載の折り畳み装置。
【請求項１０】
前記排出区間及び到着区間（９，１０）の領域に硬化された交換可能な要素が組み入れ可能であることを特徴とする請求項１ないし９の何れか一項に記載の折り畳み装置。
【請求項１１】
前記排出区間及び到着区間が鋭利な縁状ではないことを特徴とする請求項１ないし１０の何れか一項に記載の折り畳み装置。
【請求項１２】
前記偏心配置されたベルト誘導部材（１，６）が操作側と駆動側で別個に調節可能であり、印刷製品（３）の不正確な位置の修正が折り畳み台（４）への到着の際に実施可能であることを特徴とする請求項９ないし１１の何れか一項に記載の折り畳み装置。
【請求項１３】
前記排出区間と到着区間（９，１０）との間で、印刷製品（３）の誘導が曲がっていない経路に沿って追従することを特徴とする請求項１ないし１２の何れか一項に記載の折り畳み装置。
【発明の詳細な説明】
【技術分野】
【０００１】
本発明は、特許請求の範囲の独立請求項に記載の印刷機用折り畳み装置又は折り畳み機に関する。
【背景技術】
【０００２】
特許文献１から、被駆動折り畳みドラムの対と、拍子をとって上下動する折り畳み用ナイフと、折り畳み台とから構成される折り畳み装置が知られている。印刷製品又は個別の枚葉紙は、複数の運搬ベルトによって把持され、生産方向にストッパに向かって動かされ、続いて、縦の折り目、例えば第３の折り目が付けられる。印刷製品をより良好に固定するために、押当てバネ又は押当てローラによって、折り畳み過程中に折り畳み台に対して押し当てることができる。欠点は、押当てバネと押当てローラが追加の構成部分となり、これらが整備と操作のために折り畳み台領域に接近することを困難にすることである。
【特許文献１】独国特許公開第１９６４２１２４号明細書
【発明の開示】
【発明が解決しようとする課題】
【０００３】
以上のことから、本発明の課題は、折り畳み台の上に印刷製品を固定するために押当てローラ又は押当てバネを必要としない、印刷機用折り畳み装置又は折り畳み機を作り出すことである。
【課題を解決するための手段】
【０００４】
この課題は、本発明によれば独立請求項記載の措置によって解決される。
【０００５】
本発明は特に、折り畳もうとする印刷製品のためのストッパのところで、及び／又は、印刷製品の直後における２〜１５ｍｍの範囲において、すなわち印刷製品の直前及び／又は直後において、位置変更可能な運搬ベルトによって折り畳み台の到着区間及び／又は排出区間と関連して形成された製品固定用の接触ゾーンを作り出すことから成る。この到着区間と排出区間は多少深くなっており、丸みを付けられた状態及び／又は階段状に、段を有して、折り畳み台のレベルに延びている。到着区間及び／又は排出区間が、先行する製品の端部及び／又は後続の製品の端部の領域に位置し、運搬ベルトによって巻きつけられていることが好ましく、この場合、印刷製品に対するこのベルトの押圧作用は、その位置を変えやすいベルト誘導部材によって、好ましくはベルトドラム、ベルトローラによってもたらされ、これらの位置変更を通じて、接触ゾーンにおける巻きつきを変化させる働きをする。この巻きつきの変化の下での、運搬ベルトと折り畳み台との間、若しくは前記区間との間における、接触長さの変更若しくは調節が理解される。
【０００６】
バネ又はベルトローラの線状接触に基づいて比較的小さな接触ゾーンを形成する周知の解決策とは異なり、接触ゾーンの大きさは巻きつきの変化によって更に大きく影響され、より優れた固定が達成される。その上、印刷製品は到着時におけるその僅かなアーチ状の反りによって、折り畳み台の上にさらに安定して導かれる。これによって、到着する印刷製品の位置に影響する可能性がある振動が発生することは不可能である。このために、折り畳み台は、製品到着の領域においてアーチ状湾曲の反り若しくはアーチ状湾曲に反った造型を伴って仕上げられている。
【０００７】
この配置構成によって、折り畳みの質的に高い安定性を、操作の簡略化と関連して達成することができる。折り畳み過程中に印刷製品を緊張させて誘導することによって、折り目の逸脱を大幅に減少することができる。優れた製品のより速い達成によって刷り損じ紙の割合を減らすこと、あるいは、従来と同程度の折り目逸脱でより高い速度を達成することができる。このシステムは故障し難く、折り畳み装置の操作性を著しく改善することができる。折り畳み装置に既に備えられている運搬ベルトは巻きつき調節の機能を備えて実施することができるので、既存の構成部分へのこの機能の統合が実現可能であり、これによって、作業空間を制限して接近可能性を妨げることにもなり得る追加の構成部分を必要としない。
【０００８】
製品ストッパのところでの、又は製品ストッパの領域における、及び印刷製品の直後における、すなわち折り畳み台の製品到着領域における稜及び／又は丸みによって、製品固定を形成する目的を持つ接触ゾーンを調節可能なベルト誘導部材と関連して実現することができる。フライス盤削り又は斜角として形成されることが好ましい稜及び／又は丸みは、接触ゾーンにおける巻きつきを変更するために、かつそれによって押し付け力を調節可能性のために役立つ。
【発明を実施するための最良の形態】
【０００９】
本発明による一実施形態を添付の図面を参照して以下に説明する。
【００１０】
図１は、被駆動折り畳みドラムの対７と、拍子をとって上下する折り畳み用ナイフ２と、折り畳み台４とから構成される、図示されていない折り畳み機又は印刷機の折り畳み装置１１を示す。印刷製品３は、複数の運搬ベルト５によって把持され、図中矢印Ａで示す製品到着方向に、少なくとも一つのストッパ８に向かって動かされる。折り畳み用ナイフ２によって、印刷製品３には縦の折り目、例えば第３の折り目が付けられる。印刷製品３は運搬ベルト５の間を導かれ、これによって折り畳み台４に対して押し当てられる。印刷製品３のためのストッパ８のところ、及び／又は、印刷製品の直後における２〜１５ｍｍの範囲α１，α２（すなわち印刷製品の直前領域及び直後領域）において、到着区間及び排出区間９，１０が存在する。これらの区間９，１０に運搬ベルト５が巻きつくことができるので、接触ゾーンが生じ、この場合、印刷製品３に対するこのベルトの押圧作用は、その垂直位置を変えやすいベルト誘導部材１，６による影響を受けることができる。ベルト誘導部材１，６はベルトドラム又はベルトローラであることが好ましい。
【００１１】
区間９，１０は丸みを帯びており、すなわち角張った形には形成されていない。この部分は、フライス盤削りによって作られていることが有利である｛図２の変形例（ａ）〜（ｃ）を参照｝。代案として、区間９，１０を、半径Ｒ｛変形例（ｄ）｝又は代用半径Ｅをなぞる到着ドラム又は到着ローラ１２によって仕上げることができ｛変形例（ｅ）｝、この場合、これらの区間は既に折り畳み台４の到着領域から延びることができる。ベルト誘導部材１，６の位置変更は、巻きつきの変更、すなわち区間９，１０における搬送ベルト５と折り畳み台４との間の接触長さの変更若しくは調節の働きをする。全ての形成措置、すなわち区間９，１０の造型に関連する運搬ベルト５の位置変更は、運搬ベルト５の巻きつきの自由度を作り出すこと、並びに、こうして運搬ベルト５の十分且つ調節可能な巻きつきと、様々な区間長Ａｌ、印刷フォーマット、及び紙の性質への適合を可能にすること、という目的を有する。この巻きつきの変更によって、折り畳み台４に対する印刷製品３のための調節可能な固定力を実現することができる。
【００１２】
折り畳み台４は、摩耗を減らすために硬質クロムめっきで仕上げられている。代案として、区間９，１０の領域において、図示されていない硬く強化された交換可能な要素、例えばボルト、レールなどを組み入れることもできる。ベルト誘導部材１，６が偏心して置かれたドラムとして実現されることが有利である。偏心して置かれたベルト誘導部材６を、折り畳み台４の到着領域における図示されていない側ＳＩ及びＳＩＩ（操作側及び駆動側）で別個に調節可能である場合には、不正確な位置を修正するという可能性が存在する。
【００１３】
区間９，１０を作り出すために、折り畳み台４の様々な造型の可能性がある（図２を参照）。変形例（ａ）は折り畳み台の短縮を示し、変形例（ｂ）は階段状の段を有する折り畳み台４を示し、変形例（ｃ）は斜角を有する折り畳み台４を示し、変形例（ｄ）は大きな到着半径Ｒを有する折り畳み台４を示し、変形例（ｅ）は、代用半径Ｅをなぞる到着ドラム又は到着ローラ１２を有する折り畳み台４を示す。折り畳み台４が製品到着方向Ａにアーチ形に反って形成されていることが好ましく、これによって印刷製品３は到着の際にアーチ形に反る。区間９，１０において、およびこれらの間で、印刷製品の到着は水平に実施される。これは、印刷製品３を折り畳み台４の上へ位置安定に誘導する働きをする。ベルト誘導部材１，６の位置の調節可能性によって、これら又は運搬ベルト５を様々な製品厚さに対して調節することができる。
【図面の簡単な説明】
【００１４】
【図１】折り畳み台を有する折り畳み装置の側面図である。
【図２】（ａ）〜（ｅ）は、図1による製品到着領域のための折り畳み台の変形形態を示す図である。
【符号の説明】
【００１５】
１  ベルト誘導部材
２  折り畳み用ナイフ
３  印刷製品
４  折り畳み台
５  運搬ベルト
６  ベルト誘導部材
７  折り畳みローラの対
８  ストッパ
９  到着区間
１０  排出区間
１１  折り畳み装置
１２  到着ローラ／到着ドラム
Ａ  製品到着方向
Ａｌ  区間の長さ
Ｅ  代用半径
Ｒ  半径
α１  接触ゾーンの領域
α２  接触ゾーンの領域
【図１】
2005320170.tif 000003
【図２】
2005320170.tif 000004